(57)【要約】      （修正有）【課題】手が不自由で箸を持って片方の箸を動かして食べ物を掴む操作をしづらい人でも簡単に操作できる箸を提供する。【解決手段】一対の単体箸１、２が中間部１１、１２で交叉し、交叉した先方の掴み部１３、２３を略並行に配置し、交叉した基方の持ち部１１、１２も略並行に配置する。持ち部２１において単体箸１の対向側に連結部１４を突設して両単体箸１、２を回動自在に軸着する。単体箸１、２の掴み部１３、２３同士が突合するように付勢手段３を持ち部１１、２１の単体箸１、２間に設けた。【選択図】図１
0003142617.tif 000002
【実用新案登録請求の範囲】
【請求項１】
一対の単体箸が中間部で交叉し、交叉した先方の掴み部を略並行に配置し、交叉した基方の持ち部も略並行に配置すると共に、持ち部において単体箸の対向側に連結部を突設して両単体箸を回動自在に軸着し、更に単体箸の掴み部同士が突合するように付勢手段を持ち部の単体箸間に設けたことを特徴とする簡易操作箸。
【請求項２】
連結部が一方の単体箸から他方の単体箸に突設し、先部で他方の単体箸を挟持して軸着したことを特徴とする請求項１記載の簡易操作箸。
【請求項３】
両方の単体箸から連結部を突設し、その重合部を軸着したことを特徴とする請求項１記載の簡易操作箸。
【請求項４】
単体箸の少なくとも一方が、持ち部、交叉部及び掴み部から成り、持ち部と掴み部は略並行線上に位置し、交叉部は両部を一体に連繋する前記略並行線に対して傾斜線上に位置することを特徴とする請求項１乃至３のいずれかに記載の簡易操作箸。
【請求項５】
一対の単体箸同士が交叉した部分で係止され、係止する連結軸は、各単体箸に形成した係止用長孔へ摺動可能に、その重合部に挿通されていることを特徴とする請求項１乃至４のいずれかに記載の簡易操作箸。
【考案の詳細な説明】
【技術分野】
【０００１】
本考案は、手が不自由で箸を持って片方の箸を動かして食べ物を掴む操作をしづらい人でも簡単に操作できる箸に関するものである。
【背景技術】
【０００２】
手に障害を持ち箸の操作が困難な人や、事故、病気等で一時的に充分に箸の操作が出来ない人がいる。
そして、これ等の人を対象とした補助具や、補助具付の箸が提案されている。
【０００３】
例えば、特開平１１−２２６０４０号は、障害を有する手に装着可能な補助具本体と、該補助具本体に着脱自在に取付可能な箸保持具または食器保持具とにより設けられた手障害者のための生活補助具であって、補助具本体は、手首に装着するための装着部材と、箸保持具等を連結するための筒状体とにより構成し、また箸保持具は、補助具本体の筒状体に取付可能な嵌入軸と、箸を保持するための固定側箸保持体と回動側箸保持体、固定側基板と回動側基板および回動側箸保持体に保持された箸を回動するための回動機構とにより構成し、また食器保持具は、補助具本体の筒状体に取付可能な嵌入軸と、食器支持用アームおよび皿体、該食器支持用アームの端部を挿着したアーム摺動用筒体とにより形成し、このアーム摺動用筒体内に設けられた上下動機構により、食器支持用アームを上下移動または固定可能に構成したものである。
【０００４】
また、特開２００５−１３７８７６号は、遠位箸と近位箸とを有する箸本体とその操作を補助する補助手段とを有し、補助手段は遠位箸と近位箸とを回動自在に連結する連結手段と遠位箸と近位箸の先端部を相互に離間方向に移動させるための付勢手段と付勢手段を配置する付勢手段配置部とを有し、付勢手段は形状を変化可能な構成とすることで、付勢力が異なる伸縮手段とされており付勢手段配置部は複数の異なる形態に変化した付勢手段を配置可能な構成としたものである。
【０００５】
上記の各公報で開示されているのは、一対の箸を連繋すると共に、箸を持った場合に開く方向に付勢手段を設けている点である。
即ち、使用に際しては、付勢手段に抗して一対の箸の先の間隔を狭め、食べ物を掴んで運び、狭めている力を抜けば付勢力によって自然に箸の先が開き、食べ物を目的所へ移すことが出来るのである。
【考案の開示】
【考案が解決しようとする課題】
【０００６】
箸の操作は、人差し指と中指で持つ一方の箸を、他方の箸に対して間隔を拡狭することによって食べ物を掴んだり離したりして移動等の操作をしているのである。
そこで、上記従来の箸では、箸を拡げる動きが困難であるとして、離間方向に一対の箸を拡げるための付勢手段を設けているのである。
しかし、実際の使用に際しては、箸を狭めて掴みそのまま持ち上げて移動させる間、離間方向への付勢力に抗して箸を操作している必要があり、自由に手を動かせない状態の人にとっては最適とは言えないのである。
【０００７】
そこで、本考案は手が不自由で、箸を持って片方の箸を動かして食べ物を掴む操作をしづらい人でも、簡単に操作できる箸を提供することを目的とする。
【課題を解決するための手段】
【０００８】
本考案の請求項１の箸は、一対の単体箸が中間部で交叉し、交叉した先方の掴み部を略並行に配置し、交叉した基方の持ち部も略並行に配置すると共に、持ち部において単体箸の対向側に連結部を突設して両単体箸を回動自在に軸着し、更に単体箸の掴み部同士が突合するように付勢手段を持ち部の単体箸間に設けたことを特徴とするものである。
【０００９】
請求項２の考案は、請求項１において、連結部が一方の単体箸から他方の単体箸に突設し、先部で他方の単体箸を挟持して軸着したことを特徴とするものであり、請求項３の考案は、請求項１において、両方の単体箸から連結部を突設し、その重合部を軸着したことを特徴とするものである。
【００１０】
請求項４の考案は、請求項１乃至３において、単体箸の少なくとも一方が、持ち部、交叉部及び掴み部から成り、持ち部と掴み部は並行線上に位置し、交叉部は両部を一体に連繋する前記略並行線に対して傾斜線上に位置することを特徴とするものである。
【００１１】
請求項５の考案は、請求項１乃至４において、一対の単体箸同士が交叉した部分で係止され、係止する連結軸は、各単体箸に形成した係止用長孔へ摺動可能に、その重合部に挿通されていることを特徴とするものである。
【考案の効果】
【００１２】
請求項１の考案では、持ち部において単体箸の対向側に連結部を突設して両単体箸を回動自在に軸着し、更に単体箸の掴み部同士が突合するように付勢手段を持ち部の単体箸間に設けてあるため、通常の状態では先部が突合している。
よって、一対の箸が連繋されているから、離散せず持ち易くなること、普通に箸を持って軸着部より掴み部側の持ち部を狭める（押す操作）ように加圧すれば、掴み部は離間して目的の食べ物を掴める状態となり、加圧をやめれば付勢力によって突合方向に作用して目的の食べ物を掴むことができる。
即ち、掴む時と離す時にのみ持ち部を狭めればよいため、従来のような持続する操作を必要とせず、簡易な操作となる効果を発揮するのである。
【００１３】
請求項２及び請求項３の考案では、一対の箸が連繋して回動する支点の場所により、各単体箸の回動の仕方が異なるため、使用者に合わせて選択できる格別の効果を有する。
【００１４】
請求項４の考案は、単体箸の少なくとも一方が、持ち部、交叉部及び掴み部から成り、持ち部と掴み部は略並行線上に位置し、交叉部は両部を一体に連繋する傾斜線上に位置するようにしたため、他方の単体箸が従来どおりの直線状の形態でも一対の箸を構成でき、又この単体箸の２本で構成しても本考案の箸を形成できる格別の効果を発揮する。
【００１５】
請求項５の考案は、一対の単体箸同士が交叉した部分でも係止され、係止する連結軸は各単体箸に形成した係止用長孔へ摺動可能に、その重合部に挿通したものであるから、二本の単体箸は回動軸とこの連結軸の二点で係止され、捻れたりせずに確実に二本の単体箸を係止できると共に、回動時のガイド作用を奏して摘み部の突合、離間を安定的に且つスムースにする効果を発揮する。
また、長孔の大きさ（範囲）により掴み部の突合圧や離間の幅の設定や規制をできる効果も有する。
【考案を実施するための最良の形態】
【００１６】
本考案の実施の一形態を図面に基づいて説明する。
図１は本考案の簡易操作箸の一実施の形態を示す平面図、図２は同背面図である。
一対の箸の一方の単体箸１は通常の直線状の形態で、基部より持ち部１１、交差部１２及び掴み部１３としての機能上の部位を有する。
他方の単体箸２も基部より持ち部２１、交叉部２２及び掴み部２３より成り、持ち部２１と掴み部２３は間隔を有する略並行線上に位置し、交叉部２２は両部の上下を一体に連繋する前記平行線と斜めに交わる傾斜線上に位置する。
【００１７】
一方の単体箸１と他方の単体箸２は、交叉部１２と２２で交叉すると共に、持ち部１１から突設した連結１４で回動可能に連結し、更に、この連結部２４の基部側において引っ張りバネ３で互いに近接方向へ付勢されている。
【００１８】
連結部１４は、持ち部１１の中間部から配置した他方の箸２の持ち部２１へ突出し、先端部分は上下に二股なって他方の箸２の突合部分を挟持する恰好で回動用軸４を挿通係止し、単体箸１と単体箸２を回動可能に軸着している。
【００１９】
また、両単体箸１、２の基端部で引っ張りバネ３を渡設して、互いに近接方向へ付勢することで、前記回動用軸４を支点として回動し先方の両摘み部２３と１３が加圧されて突合した状態となっている。
引っ張りバネ３は着脱可能とし、また、両摘み部２３と１３との突合する強さを使用者によって適宜調整、選択できるものとする。
【００２０】
他方の単体箸２の交叉部２２は一方の単体箸１を跨ぐ形で交叉するため、アーチ型としたり、上下の肉厚を薄くしたりして、単体箸同士が拡狭するための回動に支障がないように、かつ、掴み部２３である先端部が確実に突合するように、両方の単体箸１、２の交叉部１３、２３が関係する部分を配慮した形状とするのが好ましい。
【００２１】
したがって、通常は引っ張りバネ３の付勢力によって、回動用軸４を支点として摘み部２３と１３が突合する方向に加圧された状態であり、持ち部２１と１１を引っ張りバネ３に抗して加圧して狭めたり、加圧を解除する操作によって、摘み部２３と１３の間を突合・拡狭して食べ物を掴んだり放したりできることとなる。
【００２２】
図３は他の実施の形態を示す平面図であり、一方の単体箸１からの連結部１４と、他方の単体箸２からも連結部２４が突設してあり、対向する中間部において重合し、当該重合部で回動用軸４を挿通し、単体箸１と単体箸２を回動可能に軸着している。
この重合部は単純に両連結部２４、１４を上下に重ねても、一方又は両方を二股として他方の連結部を挟持するように軸着してもよい。
【００２３】
図４は他の実施の形態を示す平面図であり、持ち部２１と掴み部２３は間隔を有する略並行線上に位置し、交叉部２２は両部を一体に連繋する前記略並行線と斜めに交わる傾斜線上に位置する形態とした単体箸を二本使用して構成したものである。
そして、両単体箸２、２の交叉部２２、２２には回動に伴い互いに重合する軌跡部分に長孔２５、２５を設け、長孔２５、２５の重合貫通孔に連結ピン５を摺動可能に挿通して両単体箸２、２を係止して連結している。
【００２４】
単体箸２、２は回動用軸４とこの連結ピン５の二点で係止されるため、捻れたりせずに確実に係止できると共に、回動時のガイド作用を奏して摘み部２３、２３の突合、離間を安定的に且つスムースにする。
また、長孔２５、２５の大きさ（範囲）により掴み部２３、２３の突合圧や離間の幅を設定や規制できる。
【００２５】
図５は他の実施の形態を示す要部平面図であり、連結部２４の基部側において付勢手段で互いに近接方向へ付勢するのに代えて、連結部１４、２４の先部側（交叉部側）において互いに離反方向へ付勢するように設け、付勢手段として押しバネ３１を両単体箸間に介在させたものである。
【００２６】
尚、本考案は上記図面の実施形態に何ら限定されるものではなく、本考案の趣旨を逸脱しない範囲内で種々改良変形が可能である。
また、図６に示すように、掴み部に滑り止め加工６や汁留め加工７等を付加することもできる。
【図面の簡単な説明】
【００２７】
【図１】本考案の簡易操作箸の一実施の形態を示す平面図である。
【図２】図１の背面図である。
【図３】他の実施の形態を示す平面図である。
【図４】他の実施の形態を示す平面図である。
【図５】他の実施の形態を示す要部平面図である。
【図６】他の実施の形態を示す要部平面図である。
【符号の説明】
【００２８】
１、２      単体箸
３、３１    付勢手段
４          回動用軸
５          連結ピン
１１、２１  持ち部
１２、２２  交叉部
１３、２３  掴み部
１４、２４  連結部
２５        長孔
【図１】
0003142617.tif 000003
【図２】
0003142617.tif 000004
【図３】
0003142617.tif 000005
【図４】
0003142617.tif 000006
【図５】
0003142617.tif 000007
【図６】
0003142617.tif 000008